(57)【特許請求の範囲】
【請求項１】
吸収コア（２ｂ）およびこの吸収コア（２ｂ）の受液側を覆う透液性シート（２ａ）から成る液吸収部材（２）と、前記液吸収部材の下側に位置する支持体（３）と、を有する吸収性物品（１）であって、
吸収性物品（１）の長手方向に延び且つ両端部が前記支持体（３）上に固定された複数の弾性部材（４，５，６）によって、前記液吸収部材（２）が支持されており、
前記複数の弾性部材（４，５，６）のうち吸収性物品（１）の幅方向の中央側に位置する弾性部材（６）と前記支持体（３）との固定部（６ａ，６ｂ）が、前記弾性部材（６）の左右両側に配置されたその他の弾性部材（４，５）と前記支持体（３）との固定部（４ａ，４ｂ，５ａ，５ｂ）よりも前記長手方向の外側に位置しており、
前記弾性部材（４，５，６）の引っ張り力によって、前記支持体（３）が長手方向へ向けて曲げられるとともに、前記中央側に位置する弾性部材（６）によって前記液吸収部材（２）は幅方向の中央部分が支持体から離れる側へ突状態となるように変形させられることを特徴とする吸収性物品。
【請求項２】
前記中央側に位置する弾性部材（６）と、前記その他の弾性部材（４，５）の双方により前記吸収コア（２ｂ）が支持されている請求項１記載の吸収性物品。
【請求項３】
前記中央側に位置する弾性部材（６）により前記吸収コア（２ｂ）が支持され、前記その他の弾性部材（４，５）により前記透液性シート（２ａ）が支持されている請求項１記載の吸収性物品。
【請求項４】
支持体（３）と、この支持体（３）の受液側に位置する吸収コア（２ｂ）とを有する吸収性物品（１）であって、
吸収性物品（１）の長手方向に延び且つ両端部が前記支持体（３）上に固定された弾性部材（６）によって前記吸収コア（２ｂ）の幅方向の中央側が支持されており、
前記吸収コア（２ｂ）を覆う透液性シート（２ａ）が前記吸収コア（２ｂ）の幅方向の外側へ延長されて、この透液性シート（２ａ）の両側部が前記支持体（３）に接合され、または前記支持体（３）の幅方向の両側に接合されて前記支持体（３）から立ち上がる補助シート（３ｄ）が前記透液性シート（２ａ）に接合されており、
前記弾性部材（６）の引っ張り力によって、前記支持体（３）が長手方向へ向けて曲げられるとともに、前記弾性部材（６）によって前記吸収コア（２ｂ）は幅方向の中央部分が支持体（３）から離れる側へ突状態となるように変形させられることを特徴とする吸収性物品。
【請求項５】
前記吸収コア（２ｂ）から延長されている前記透液性シート（２ａ）または前記補助シート（３ｄ）あるいは前記透液性シート（２ａ）と前記補助シート（３ｄ）には、吸収性物品（１）の長手方向に延びる弾性部材（４ｃ，４ｄ）が接合されており、この弾性部材（４ｃ，４ｄ）の両端部が前記支持体（３）に固定されている請求項４記載の吸収性物品。
【請求項６】
前記吸収コア（２ｂ）の中央側を支持する弾性部材（６）と前記支持体（３）との固定部が、前記透液性シート（２ａ）または前記補助シート（３ｄ）あるいは前記透液性シート（２ａ）と前記補助シート（３ｄ）に接合された弾性部材（４ｃ，４ｄ）と前記支持体（３）との固定部よりも長手方向の外側に位置している請求項５記載の吸収性物品。
【請求項７】
吸収コア（２ｂ）から延長されている前記透液性シート（２ａ）または前記補助シート（３ｄ）あるいは前記透液性シート（２ａ）と前記補助シート（３ｄ）は、吸収性物品（１）の幅方向へ弾性収縮力を有している請求項４記載の吸収性物品。
【請求項８】
前記中央側に位置する弾性部材（６）の収縮張力が、その他の前記弾性部材（４，５の収縮張力よりも大きい請求項１ないし３のいずれかに記載の吸収性物品。
【請求項９】
前記支持体（３）は、吸収コア（３ｂ）を有している請求項１ないし８のいずれかに記載の吸収性物品。
【発明の詳細な説明】
【０００１】
【発明の属する技術分野】
本発明は、主に経血などの排泄液を吸収保持する吸収性物品に係わり、特に着用者の動きに追従して効果的に排泄液を吸収できるようにした吸収性物品に関する。
【０００２】
【従来の技術】
吸収性物品としては、従来より種々のものが開発されている。例えば、実開平７−３３３１５号公報などが存在し、この公報には着用者が自由に動き回った場合の経血の漏れを防止することを目的とする吸収性物品（生理用のナプキン）が開示されている。
【０００３】
前記公報に開示された吸収性物品は、排泄液（経血）の漏れを防止するために、吸収性コアを透液性シートで被覆した上部ナプキンと下部ナプキンとからなり、下部ナプキンの端縁間寸法よりも小さい上部ナプキンが、下部ナプキンの中央部に位置するように構成されている。そして、上部ナプキンの両端部からは、上部ナプキンの両端部に沿って長手方向へ延びる一対の伸長された弾性部材が延出され、その弾性部材の先端が下部ナプキンの端縁部に固着されている。上部ナプキンと下部ナプキンとは互いに拘束することなく着用者の動きに合わせて比較的自由に動くことが可能となっている。
【０００４】
【発明が解決しようとする課題】
しかし、上記公報に記載の吸収性物品は、上部ナプキンが平面的な構造であるため、着用者の局部に密着させることが難しい。特に、着用者の動きに追従しながら、しかも局部に対する密着度を維持することが困難である。よって、上部ナプキンと局部との間に隙間が形成され、排泄液が上部ナプキンに吸収されずに肌を伝わって流れ、その結果下着類を汚してしまうという問題が生じやすい。よって、着用者に不快な感じを与えやすかった。
【０００５】
本発明は上記従来の課題を解決するためのものであり、局部に対する高い密着度を維持しつつ着用者の動きに対する追従性に優れた吸収性物品を提供することを目的としている。
【０００６】
【課題を解決するための手段】
本発明は、吸収コアおよびこの吸収コアの受液側を覆う透液性シートから成る液吸収部材と、前記液吸収部材の下側に位置する支持体と、を有する吸収性物品であって、
吸収性物品の長手方向に延び且つ両端部が前記支持体上に固定された複数の弾性部材によって、前記液吸収部材が支持されており、
前記複数の弾性部材のうち吸収性物品の幅方向の中央側に位置する弾性部材と前記支持体との固定部が、前記弾性部材の左右両側に配置されたその他の弾性部材と前記支持体との固定部よりも前記長手方向の外側に位置しており、
前記弾性部材の引っ張り力によって、前記支持体が長手方向へ向けて曲げられるとともに、前記中央側に位置する弾性部材によって前記液吸収部材は幅方向の中央部分が支持体から離れる側へ突状態となるように変形させられることを特徴とするものである。
【０００７】
例えば、前記中央側に位置する弾性部材と、前記その他の弾性部材の双方により前記吸収コアが支持されていてもよいし、あるいは前記中央側に位置する弾性部材により前記吸収コアが支持され、前記その他の弾性部材により前記透液性シートが支持されてもよい。
【０００８】
上記本発明では、中央側の弾性部材とその他の弾性部材により吸収コアが支持体から浮いた状態で支持され、吸収コアが支持体とは別個に自由に動くことができる。しかも吸収コアは幅方向の中央側が突状態となるように変形させられるため、吸収コアが局部の凹形状にフィットし、経血などの漏れが少なくなる。
【０００９】
なお、前記中央側に位置する弾性部材は１本でも２本以上であってもよいし、その他の弾性部材は２本または４本以上であってもよい。
【００１０】
また本発明は、支持体と、この支持体の受液側に位置する吸収コアとを有する吸収性物品であって、
吸収性物品の長手方向に延び且つ両端部が前記支持体上に固定された弾性部材によって前記吸収コアの幅方向の中央側が支持されており、
前記吸収コアを覆う透液性シートが前記吸収コアの幅方向の外側へ延長されて、この透液性シートの両側部が前記支持体に接合され、または前記支持体の幅方向の両側に接合されて前記支持体から立ち上がる補助シートが前記透液性シートに接合されており、
前記弾性部材の引っ張り力によって、前記支持体が長手方向へ向けて曲げられるとともに、前記弾性部材によって前記吸収コアは幅方向の中央部分が支持体から離れる側へ突状態となるように変形させられることを特徴とするものである。
【００１１】
上記本発明では、吸収コアから延長する前記透液性シート、および／または支持体から立ち上がる補助シートにより、吸収コアの両側部が支えられ、しかも吸収コアの中央側が弾性部材により突状態に変形させられる。よって吸収コアは支持体に対して自由度を持ち且つ局部にフィットしやすくなる。
【００１２】
さらに、前記吸収コアから延長されている透液性シートおよび／または前記補助シートには、吸収性物品の長手方向に延びる弾性部材が接合されており、この弾性部材の両端部が前記支持体に固定されていてもよく、この場合に、前記吸収コアの中央側を支持する弾性部材と前記支持体との固定部が、透液性シートおよび／または前記補助シートに接合された弾性部材と前記支持体との固定部よりも長手方向の外側に位置していることが好ましい。
【００１３】
このように、透液性シートおよび／または補助シートに設けられた弾性部材と、吸収コアの中央側に設けられた弾性部材との引っ張り張力により、吸収コアを突状態に変形させてもよい。
【００１４】
または、吸収コアから延長されている透液性シートおよび／または前記補助シートは、吸収性物品の幅方向へ弾性収縮力を有しているものであってもよい。
【００１５】
また本発明では、前記吸収コアの中央側を支持している弾性部材の収縮張力が、その他の前記弾性部材の収縮張力よりも大きいことが好ましい。
【００１６】
さらに、前記支持体は、前記吸収コアの下側に位置する第２の吸収コアを有しているものであってもよい。ただし、本発明では支持体が吸収コアを有しないもの、あるいは薄い吸収シートが設けられたものであってもよい。
【００１７】
【発明の実施の形態】
以下、本発明について図面を参照して説明する。
図１は、本発明の吸収性物品の第１の実施の形態として生理用ナプキンを示す斜視図、図２は図１に示す生理用ナプキンの平面図、図３は図１のＩＩＩ−ＩＩＩ線断面図、図４は図１のＩＶ−ＩＶ線の断面図であり、（Ａ）は吸収コアが平坦なときの断面図、（Ｂ）は吸収コアが変形したときの断面図である。
【００１８】
図１に示す生理用ナプキン１では、図示Ｚ１方向が局部側（受液側）となる上部方向であり、Ｚ２方向が下着側となる下部方向である。この生理用ナプキン１は、下部方向に設けられた支持体３と、上部方向に前記支持体３と間隔を開けて設けられた液吸収部材２とから構成されている。なお、液吸収部材２の幅方向（横方向）（図示Ｘ１およびＸ２方向）の縁部が側部２Ｒ，２Ｌで示され、長手方向（図示Ｙ１およびＹ２方向）の縁部が端部２Ｆ，２Ｅで示されている。
【００１９】
図４および図５に示すように、液吸収部材２は、液吸収保持能力に優れた吸収コア２ｂと、この吸収コア２ｂを包み込む透液性シート２ａとから構成されている。吸収コア２ｂはパルプと高吸収性ポリマー（ＳＡＰ）との混合体などであり、前記パルプなどがティッシュなどの透液性シートで包まれたものである。前記透液性シート２ａは、親水処理されたＰＥ繊維、ＰＰ繊維、ＰＥＴ繊維、またはこれらの複合繊維などで形成された不織布であり、スパンボンド不織布、スパンレース不織布などである。
【００２０】
透液性シート２ａと吸収コア２ｂとは、オレフィンベースまたはゴムベースのホットメルトで接着されている。なお、ホットメルトの塗布は、くし状、スプレー状またはスパイラル状などのパターンで行われ、透液性シート２ａと吸収コア２ｂと間の液透過性が低下することが防止されている。
【００２１】
支持体３には、不透液性の支持シート３ａが設けられている。この支持シート３ａは、通気性の樹脂フィルム、撥水処理されたスパンボンドまたはスパンレースなどの不織布、あるいは不織布の裏面に通気性の樹脂フィルムが接合されたものである。この実施の形態での支持体３は、支持シート３ａ上に第２の吸収コア３ｂが設けられ、さらに第２の吸収コア３ｂが液透過性のシート３ｃで覆われている。前記第２の吸収コア３ｂは、パルプ、またはパルプとＳＡＰとの混合体がティッシュなどで包まれたもの、あるいは吸収紙を重ねたものなどであり、シート３ｃは親水処理された繊維で形成されてスパンボンドまたはスパンレースなどの不織布である。
【００２２】
前記液吸収部材２の占める面積は、支持体３の面積よりも小さく、特に液吸収部材２の幅方向（Ｘ方向）の長さが支持体３の中央領域３Ａの幅寸法よりも小さく形成されている。
【００２３】
液吸収部材２の幅方向の両側部２Ｒ，２Ｌには長手方向に延びる一対の弾性部材４，５がそれぞれ取り付けられている。また液吸収部材２の幅方向（Ｘ方向）の中央側には、前記弾性部材４，５の中間に位置しこれら弾性部材４，５に対しほぼ平行な弾性部材６が取り付けられている。図２に示すように、前記弾性部材６は、生理用ナプキン１の縦方向に延びる中心線Ｏ−Ｏにほぼ一致している。
【００２４】
前記弾性部材４，５および６は、例えば天然ゴム、合成ゴム、ポリウレタン、スチレン−ブタジエン共重合体のような原料が使用可能であり、その形状としては、糸状、フィラメント状、フィルム状、帯状、または伸縮性不織布から切断したものなどが使用可能である。
【００２５】
図４に示すものでは、前記弾性部材４，５および６は液吸収部材２の吸収コア２ｂの下面に設けられ、吸収コア２ｂが３本の弾性部材４，５および６により支持されている。各弾性部材４，５および６は、前記液吸収部材２の各端部２Ｆ，２Ｅから長手方向（Ｙ１方向およびＹ２方向）にそれぞれ延出されている。そして、図１および図２に示すように、各弾性部材４，５および６の両端部は、支持体３の前部３Ｂおよび後部３Ｃに対し、それぞれ固定部４ａ，４ｂ，５ａ，５ｂおよび６ａ，６ｂにおいて固定されている。このうちＹ１側の中央の固定部６ａは、その他のＹ１側の固定部４ａ，５ａよりも外側（Ｙ１側）の位置で固定され、Ｙ２側の中央の固定部６ｂも、その他のＹ２側の固定部４ｂ，５ｂよりも外側（Ｙ２側）の位置で固定されている。
【００２６】
この生理用ナプキン１を平坦にしたときは、弾性部材６の長手方向の長さ寸法が、他の弾性部材４，５の長手方向の長さ寸法よりも大きくなる。
【００２７】
この生理用ナプキン１が使用される前の包装された状態では、支持体３の前部３Ｂと後部３Ｃが、中央領域３Ａの上に重ねられる状態に３つ折りに畳まれている。このとき、各弾性部材４，５および６は収縮状態であり、その結果図４（Ａ）に示すように、液吸収部材２の吸収コア２ｂはほぼ偏平状態となって支持体３上に重ねられた状態になる。
【００２８】
この生理用ナプキン１を使用するときには、支持体３の前部３Ｂおよび後部３Ｃを長手方向（Ｙ方向）へ展開させる。このとき、図１ないし図３に示すように、前記各弾性部材４，５および６の弾性力（引っ張り力）により、前部３Ｂと後部３Ｃが中央領域３Ａに対して立ち上がるように曲げ変形させられ、あるいは支持体３が長手方向に向って湾曲形状に曲げ変形させられる。
【００２９】
また、中央側の弾性部材６と支持体３との固定部６ａ，６ｂは、他の弾性部材４，５と支持体３との固定部４ａ，４ｂ，５ａ，５ｂよりも長手方向の外側に位置している。したがって、図１や図３に示すように支持体３が長手方向に向けて曲げ変形させられると、中央側の弾性部材６がその両側の弾性部材４，５よりも支持体３から離れる高さとなる。
【００３０】
そのため、図４（Ｂ）に示すように、弾性部材６によって吸収コア２ｂの中心の下面がＺ１方向に持ち上げられ、液吸収部材２は、両側部２Ｒ，２Ｌが下方（Ｚ２方向）に折り曲げられまたは湾曲させられ、吸収コア２ｂの幅方向の中央部分が装着者側へ突状態に向けられる。
【００３１】
この生理用ナプキン１が装着された状態では、支持体３の上方で、液吸収部材２が弾性部材４，５および６によって中空状態で支持され、液吸収部材２の突状態の変形部が着用者の局部に密着しやすい形状であるため、吸収コア２ｂが体の動きに合わせて支持体３上で自由に動くことができる。よって、確実に液吸収部材２が排泄液を吸収することができるようになり、液吸収部材２の側方への液漏れが生じにくくなり、下着類を汚してしまうといった従来の問題を解決することができる。また、実際に着用している状態では、液吸収部材２を構成する前記吸収コア２ｂの下に第２の吸収コア３ｂが軽く接触する状態で位置するため、吸収コア２ｂを透過した経血または液吸収部材２の両側へ漏れでた経血を第２の吸収コア３ｂで吸収することができる。
【００３２】
このように、自由状態の吸収コア２ｂが装着者の局部に密着し、この吸収コア２ｂにより経血を十分に吸収保持できるため、第２の吸収コア３ｂは薄いものでよく、例えばティッシュなどの吸収紙を重ねたものなどで構成でき、その結果ナプキン全体を薄型にすることが可能である。
【００３３】
また、上記においては、中央の弾性部材６の収縮張力が他の両側の弾性部材４，５の収縮張力よりも大きく設定されることが好ましい。この場合、図１や図３の状態で、中央側の弾性部材６が撓みにくくなり、この弾性部材６によって吸収コア２ｂの中央部分を持ち上げる力が強くなる。よって、吸収コア２ｂが図４（Ｂ）に示す変形を生じやすくなる。
【００３４】
そのために、弾性部材６の縦弾性係数を弾性部材４，５のそれよりも大きくし、あるいは、支持体３が平坦な状態で、弾性部材４，５よりも弾性部材６を長く伸ばした状態で、各弾性部材４，５および６を支持体３に固定することにより、中央部の弾性部材６の引っ張り張力を大きく設定できる。
【００３５】
図５（Ａ）（Ｂ）は前記第１の実施の形態の変形例である。図５（Ａ）は吸収コア２ｂが平坦な状態、図５（Ｂ）は吸収コア２ｂが変形した状態を示している。
【００３６】
図５に示す他の液吸収部材２では、中央側の弾性部材６が透液性シート２ａと吸収コア２ｂの上面との間に設けられている点のみが図４に示す液吸収部材２と異なるだけである。この生理用ナプキンでは、中央側の弾性部材６により吸収コア２ｂが上方へ吊り上げられるようになり、その結果、図５（Ｂ）に示すように吸収コア２ｂは中央部分が装着者側に向けて突状態となるように変形させられる。
【００３７】
図６は前記第１の実施の形態のさらに他の変形例を示す図４と同じ部分の断面図である。
【００３８】
図６に示すものでは、液吸収部材２を形成する吸収コア２ｂは、パルプ、またはパルプとＳＡＰとの混合体でティッシュまたは透液性の不織布などで包まれたものであり、前記透液性シート２ａは、吸収コア２ｂの受液側に接合されている。そして中央側の弾性部材６は吸収コア２ｂの幅方向のほぼ中心部に接合されているが、両側の弾性部材４，５は透液性シート２ａに接合されている。
【００３９】
この変形例においても、図２に示したように中央側の弾性部材６と支持体３との固定部６ａ，６ｂが、各弾性部材４，５と支持体３との固定部４ａ，４ｂ，５ａ，５ｂよりも長手方向の外側に位置している。よって中央側の弾性部材６により吸収コア２ｂの幅方向のほぼ中間部分が装着者側に向って突状態に変形させられる。
【００４０】
なお、図１から図６の各実施の形態において、中央側の弾性部材６が２本またはそれ以上であり、両側の弾性部材４，５もそれぞれ２本またはそれ以上設けられていてもよい。また図６において、弾性部材４，５を例えば２本ずつ設け、これら弾性部材が吸収コア２ｂと透液性シート２ａのそれぞれに接合されてもよい。
【００４１】
図７は本発明の第２の実施の形態を示すものであり、生理用ナプキン１の図４と同等の断面図である。
【００４２】
図７に示す生理用ナプキンでは、図１ないし図３に示す形状の支持体３が主に不透液性の支持シート３ａとこの支持シート３ａ上に設置された薄型の第２の吸収コア３ｂとから構成されている。
【００４３】
液吸収部材２は前記と同様に、パルプやパルプとＳＡＰとの混合体が透液性シートで包まれた吸収コア２ｂと、この吸収コア２ｂの受液側表面に接合された透液性シート２ａとから構成されている。
【００４４】
ただし、前記透液性シート２ａは、吸収コア２ｂの幅方向（Ｘ方向）の両側部からさらに外側へ延出されており、この透液性シート２ａの両側部２ａ１，２ａ１が、第２の吸収コア３ｂの両側部を包むようにして前記支持シート３ａ上に接合されている。
【００４５】
また、吸収コア２ｂの幅方向の中央側には弾性部材６が接合されており、透液性シート２ａの両側方への延出部には、弾性部材４ｃ，４ｄおよび弾性部材５ｃ，５ｄが接合されている。各弾性部材６および４ｃ，４ｄ，５ｃ，５ｄは、長手方向（Ｙ方向）へほぼ平行に延びている。そして、図２に示したのと同様に、中央側の弾性部材６と支持体３の支持シート３ａとの固定部は、その他の弾性部材４ｃ，４ｄ，５ｃ，５ｄと支持シート３ａとの固定部よりも長手方向の外側に位置している。
【００４６】
その結果、生理用ナプキンの支持シート３ａを展開して使用する際には、各弾性部材の収縮張力により支持シート３ａが長手方向へ向けて湾曲変形し、このとき中央側の弾性部材６がその他の弾性部材４ｃ，４ｄ，５ｃ，５ｄよりも支持シート３ａから離れる上方位置に張設される。その結果、吸収コア２ｂは幅方向の中間部分が装着者側に向けて突状態となるように変形する。また両側部の弾性部材４ｃ，４ｄ，５ｃ，５ｄにより透液性シート２ａの両側部からの延出部分が蛇腹状となる。
【００４７】
この生理用ナプキンでは、吸収コア２ｂの突状態の中央部分が装着者の局部に密着し、また吸収コア２ｂは、支持シート３ａと独立して自由に動くことができる。また吸収コア２ｂを透過した経血が下側の第２の吸収コア３ｂにより吸収されるが、このとき透液性シート２ａの両側方への延出部分が経血のさらに幅方向外側への漏れを防止するように機能する。または透液性シート２ａを伝わって幅方向の両側方へ流れようとする経血が存在した場合に、この経血は透液性シート２ａを伝わって下側の第２の吸収コア３ｂに導かれる。よって経血の横漏れを防止できる。
【００４８】
さらに透液性シート２ａの両側方への延出部分は、弾性部材４ｃ，４ｄ，５ｃ，５ｄにより蛇腹状とされているため、吸収コア２ｂが装着者の局部に当たり、支持シート３ａが下着によって吸収コア２ｂに押し付けられたときに、透液性シート２ａがＸ１方向およびＸ２方向へ広がることなく支持シート３ａおよび第２の吸収コア３ｂ上に折り畳まれるようになる。よって透液性シート２ａが両側方へ大きく広がることがなくなり、透液性シート２ａに付着する経血が支持シート３ａから両側方へ漏れるのを防止できる。
【００４９】
図８は図７に示す第２の実施の形態の変形例であり、図４と同等の断面図である。
【００５０】
図８の変形例では、支持体３が不透液性の支持シート３ａと第２の吸収コア３ｂを有しているが、さらに支持シート３ａ上に補助シート３ｄが接合されて、この補助シート３ｄは、第２の吸収コア３ｂの両側部から立ち上がっている。そして液吸収部材２において吸収コア２ｂの受液側に接合されている透液性シート２ａの両側部２ａ２，２ａ２が、前記補助シート３ｄに接合されている。
【００５１】
前記補助シート３ｄは不透液性または撥水処理されたスパンボンドなどの不織布であり、前記透液性シート２ａとの接合部からさらに上方へ突出して、吸収コア２ｂの両側部から立ち上がる防漏カフ（防漏壁）３ｅ，３ｅを形成している。
【００５２】
吸収コア２ｂの中央部分には弾性部材６が接合され、前記補助シート３ｄには弾性部材４ｃ，４ｄ，５ｃ，５ｄが接合されている。前記のように、中央側の弾性部材６と支持体３の支持シート３ａとの固定部は、その他の弾性部材４ｃ，４ｄ，５ｃ，５ｄと支持シート３ａとの固定部よりも長手方向の外側に位置している。
【００５３】
よって、図７に示すものと同様に、吸収コア２ｂは中央部分が突状態となるように変形し、また補助シート３ｄ，３ｄが蛇腹状態になる。また前記防漏カフ３ｅ，３ｅの上端には収縮張力を発揮するカフ用弾性部材４ｅ，５ｅが接合されている。この弾性部材４ｅ，５ｅの長手方向の両端部は支持シート３ａに接合されており、よって支持シート３ａが長手方向へ湾曲するに伴って、前記防漏カフ３ｅ，３ｅが吸収コア２ｂの両側から立ち上がるようになっている。
【００５４】
この変形例では、吸収コア２ｂと第２の吸収コア３ｂとの間において、両側部に不透液性または撥水性のシートで形成された補助シート３ｄ，３ｄが設けられているため、吸収コア２ｂを透過した経血が、第２の吸収コア３ｂで吸収される前に、両側方へ漏れるのを防止できる。さらに前記補助シート３ｄ，３ｄが吸収コア２ｂの両側部から立ち上がって防漏カフ３ｅ，３ｅが形成されているため、この防漏カフ３ｅ，３ｅにより横漏れが防止できる。
【００５５】
また図７と図８の実施の形態において、吸収コア２ｂの両側部に図４に示したのと同じ弾性部材４，５を設けることも可能である。
【００５６】
なお、図７と図８に示す実施の形態において、弾性部材４ｃ，４ｄ，５ｃ，５ｄを設けない構造も可能である。すなわち、図７に示す透液性シート２ｂの両側への延出部分のＺ１方向の寸法、または図８に示す補助シート３ｄのＺ１方向への立ち上がり寸法を短くしておけば、これらシートが吸収コア２ｂのＸ方向の両側部を支持シート３ａ側に保持しようとする拘束力を発揮できる。よって中央側の弾性部材６の収縮張力を大きくしておくことにより、吸収コア２ｂを突状態に変形させ、この状態を装着時にも維持することが可能である。
【００５７】
図９は、弾性部材４ｃ，４ｄ，５ｃ，５ｄを設けない構造のさらに好ましい変形例を示す図４と同等の断面図である。
【００５８】
図９に示すものは、図７に示す実施の形態において弾性部材４ｃ，４ｄ，５ｃ，５ｄを除去したものであるが、透液性シート２ａには、少なくとも吸収コア２ｂから両側方に延出している部分で、幅方向（Ｘ方向）へ弾性収縮力が付与されている。弾性収縮力が付与された部分２ｃ，２ｃにより、吸収コア２ｂの両側部が支持シート３ａ側へ引き付けられるため、吸収コア２ｂが装着者の局部に当たっているときに、前記引き付け力と弾性部材６の収縮張力とで吸収コア２ｂを突状態に変形させることが可能である。
【００５９】
なお、透液性シート２ａ全体が横方向（幅方向）へ弾性収縮力を発揮できるものであってもよい。または図８の実施の形態において、支持シート３ａから立ち上がる補助シート３ｄが幅方向（横方向：Ｘ方向）への弾性収縮力を発揮するものであってもよい。
【００６０】
前記のようにシートに弾性収縮力を発揮させるためには、前記透液性シート２ａまたは補助シート３ｄを捲縮繊維を含む不織布で形成することで実現できる。または不織布にＸ方向に延びるゴムなどの弾性部材を伸長させた状態で貼り付けてもよい。
【００６１】
【発明の効果】
以上詳述した本発明によれば、吸収コアが支持体と独立して動くことができ、しかも吸収コアは中央部が突状態となるように変形するため、その頂部を常に着用者の局部に密着させることができる。また、この状態で着用者の動きに追従することができるようになるため、排泄液を確実且つ効果的に吸収することが可能となる。
【図面の簡単な説明】
【図１】本発明の吸収性物品の第１の実施の形態として生理用ナプキンを示す斜視図、
【図２】図１に示す生理用ナプキンの平面図、
【図３】図１のＩＩＩ−ＩＩＩ線断面図、
【図４】図１のＩＶ−ＩＶ線の断面図であり、（Ａ）は吸収コアが変形する前の状態、（Ｂ）は吸収コアが変形した状態、
【図５】図１の実施の形態の変形例を示す図４と同等の断面図であり、（Ａ）は吸収コアが変形する前の状態、（Ｂ）は吸収コアが変形した状態、
【図６】図１の実施の形態のさらに変形例を示す図４と同等の断面図、
【図７】本発明の第２の実施の形態としての生理用ナプキンを示す図４と同等の断面図、
【図８】図７に示す実施の形態の変形例を示す断面図、
【図９】図７に示す実施の形態のさらに他の変形例を示す断面図、
【符号の説明】
１  生理用ナプキン（吸収性物品）
２  液吸収部材
２ａ  透液性シート
２ｂ  吸収コア
２Ｒ，２Ｌ  側部
２Ｆ，２Ｅ  端部
３  支持体
３ａ  支持シート
３ｂ  第２の吸収コア
３ｃ  不透液性のシート
３ｄ  補助シート
４，４ｃ，４ｄ  他の弾性部材
５，５ｃ，５ｄ  他の弾性部材
６  中央側の弾性部材
【図１】
0003859418.tif 000002
【図２】
0003859418.tif 000003
【図３】
0003859418.tif 000004
【図４】
0003859418.tif 000005
【図５】
0003859418.tif 000006
【図６】
0003859418.tif 000007
【図７】
0003859418.tif 000008
【図８】
0003859418.tif 000009
【図９】
0003859418.tif 000010